(57)【要約】      （修正有）【課題】支持効果が強化されるとともに、簡単に移動でき使用が便利な、補助支持フレームと新型ハンドルを備えた折りたたみ式ベッドを提供する。【解決手段】ベッドフレーム機構１およびマットレス２を備え、ベッドフレーム機構の上にマットレスが設置され、ベッドフレーム機構の左右両側に各補助支持構造３が設けられる。補助支持構造は、ロック部材３１、補助支持フレーム３２、位置決め穴３３及び固定片３４を備え、ロック部材の底部は、補助支持フレームに移動可能に接続され、補助支持フレームの表面に、位置決め穴が設けられ、ベッドフレーム機構の底部に、固定片が固定接続され、ベッドフレーム機構の正面に、ハンドル４が設置されている。【選択図】図１
0003224813.tif 000002
【実用新案登録請求の範囲】
【請求項１】
補助支持フレームとハンドルを有する折りたたみ式ベッドであり、
ベッドフレーム機構（1）およびマットレス（2）を備え、
前記ベッドフレーム機構（1）の上にマットレス（2）が設置され、
前記ベッドフレーム機構（1）の左右両側に各補助支持構造（3）が設けられ、前記補助支持構造は（3）、ロック部材（31）、補助支持フレーム（32）、位置決め穴（33）及び固定片（34）を備え、
前記ロック部材（31）の底部は、補助支持フレーム（32）に移動可能に接続され、
前記補助支持フレーム（32）の表面には、位置決め穴（33）が設けられ、
前記ベッドフレーム機構（１）の底部には、固定片（34）が固定接続されて、
前記ベッドフレーム機構（１）の正面には、ハンドル（4）が設置される
ことを特徴とする折りたたみ式ベッド。
【請求項２】
前記固定片（34）の表面には、固定穴（５）が設けられ、前記固定穴（５）の直径は前記位置決め穴（33）の直径と等しい
ことを特徴とする請求項１に記載の折りたたみ式ベッド。
【請求項３】
前記ハンドル（4）は、ハンドル固定構造（４１）、スリーブ（４２）及びハンドルリング（４３）を備え、スリーブ（４２）はハンドル固定構造（４１）の上部に固定的に接続され、ハンドルリング（４３）はスリーブ（４２）の内部空洞に移動可能に接続される
ことを特徴とする請求項１に記載の折りたたみ式ベッド。
【請求項４】
ハンドル固定構造（４１）の表面の底部には貫通孔（６）が設けられ、貫通孔（６）はボルトによってベッドフレーム機構（１）の底部に固定的に接続される。
ことを特徴とする請求項１又は３に記載の折りたたみ式ベッド。
【請求項５】
前記ベッドフレーム機構（１）の底部にはスタンド（７）が設けられ、スタンド（７）の底部にはプーリー（8）が設けられる。
ことを特徴とする請求項１に記載の折りたたみ式ベッド。
【考案の詳細な説明】
【技術分野】
【０００１】
本考案は、折りたたみ式ベッドに関し、具体的には、補助支持フレームと新型ハンドルとを有する折りたたみ式ベッドに関する。
【背景技術】
【０００２】
一般的に、日常使用されているベッドは、大きいため、部屋の空間の大部分を占めることがよくある。使用されていない時に、折り畳むと日常生活に空間を節約できるベッドは期待されている。病院などには、家族が看護するため、折りたたみ式ベッドがよく使われている。しかし、支持力が不十分のため、ベッドの高さが低く、使用不便を感じやすい。従来の折りたたみ式ベッドは、主に中央の回転シャフト構造で、折り畳む機能を実現させ、折り畳むためのハンドルがなく、実際の操作は非常に不便である。
【０００３】
本考案の目的は、補助支持フレームと新型ハンドルを備える折りたたみ式ベッドを提供することであり、これは使用に便利であるという利点を有し、従来の装置が使用に不便であるという問題を解決する。
【考案の概要】
【０００４】
上記の目的を達成するために、本考案は、補助支持フレームと新型ハンドルを有する折りたたみ式ベッドを提供する。当該折りたたみ式ベッドは、ベッドフレーム機構およびマットレスを備え、上記ベッドフレーム機構の上にマットレスが設置され、上記ベッドフレーム機構の左右両側に各補助支持構造が設けられ、上記補助支持構造は、ロック部材、補助支持フレーム、位置決め穴及び固定片を備え、上記ロック部材の底部には、補助支持フレームに移動可能に接続され、上記補助支持フレームの表面には、位置決め穴が設けられ、上記ベッドフレーム機構の底部には、固定片が固定接続されて、上記ベッドフレーム機構の正面には、ハンドルが設置されている。
好ましくは、上記固定片の表面には、固定穴が設けられ、上記固定穴の直径は上記位置決め穴の直径と等しい。
【０００５】
好ましくは、上記ハンドルは、ハンドル固定構造、スリーブおよびハンドルリングを備え、スリーブはハンドル固定構造の上部に固定的に接続され、ハンドルリングはスリーブの内部空洞に移動可能に接続される。
好ましくは、ハンドル固定構造の表面の底部には貫通孔が設けられ、貫通孔はボルトによってベッドフレーム機構の底部に固定的に接続される。
好ましくは、ベッドフレーム機構の底部にはスタンドが設けられ、スタンドの底部にはプーリーが設けられる。
【０００６】
本考案の有益な効果
従来技術と比べ、本考案は、以下の効果を有する。
1.本考案は、補助支持構造を設計することにより、ベッドフレームの両側に補助支持構造を設置され、ベッドフレーム機構が開くと、補助支持フレームはもう一つの支持体となり、全体的に支持効果が強化される。従って、ベッドフレーム機構は、従来より高く設定できる。ハンドルを設計することで、折りたたみベッドを簡単に取り上げられるようになる。そして、ハンドルにより、簡単に移動でき、便利に使える効果を果たした。従来の折りたたみ式ベッドが使用不便の課題を解決できた。
【０００７】
2. 本考案に関わる折りたたみ式ベッドは、折り畳む場合、補助支持フレームはロック部材を軸として９０度回転し、補助支持フレームの表面における位置決め穴は、固定片の表面における固定穴と重合し、ボルトで固定されるため、補助支持フレームの揺れを防ぐことができる。ハンドルリングを引き上げることにより、折りたたみ式ベッドは、全体的に収納され、使用にはとても便利になる。
【図面の簡単な説明】
【０００８】
【図１】は、本実用的な概略構成図である。
【図２】は、本実用新型補助支持フレームの概略構成図である。
【図３】は、本実用新型折りたたみ式ベッド折り畳み構造を示す図である。
【図４】は、本実用新型ハンドルリング構造を示す図である。
【考案を実施するための形態】
【０００９】
以下、本考案の図面を参考しながら、本考案に関わる実施例に示される技術方案を、詳しく説明する。明細書に記載される実施例は、本考案を説明するための一例であり、全ての実施例ではないと、理解されるべきである。本考案の実施例に基づいて、当業者は、創造的な努力がない場合に得られた他の実施形態も、本考案の保護範囲内に属される。
【００１０】
図１〜４に示すように、ベッドフレーム機構１およびマットレス２を備える、補助支持フレームおよび新型ハンドルを有する折りたたみ式ベッドであり、ベッドフレーム機構１の底部にスタンド７が設けられ、スタンド７の底部にプーリー8が設けられ、固定穴5と位置決め穴33との協働により、折りたたみ式ベッドの収納に影響を与えていない上で、補助支持フレーム３２の折り畳みを容易にできる。ハンドル固定構造41と、スリーブ42と、ハンドルリング43との協働により、容易に折り畳まれる上に、ハンドル４を上下に反転させることで、より小さなスペースを占める。スタンド７とプーリー8との協働により、折りたたみ式ベッドを容易に移動させる。ベッドフレーム機構1の上にマットレス2が設置され、ベッドフレーム機構1の両側とも、補助支持構造3が設置されている。補助支持構造3は、ロック部材31、補助支持フレーム32、位置決め穴33及び固定片３４を備える。ロック部材31の底部には、補助支持フレーム32と移動可能に接続されている。補助支持フレーム32の表面には、位置決め穴33が設けられている。ベッドフレーム機構１の底面には固定片３４が固定接続されている。固定片３４の表面には固定穴５が設けられ、固定穴５の直径は位置決め穴３３の直径と等しく、ベッドフレーム機構１の前面にはハンドル４が設けられている。ハンドル４は、ハンドル固定構造41、スリーブ42、ハンドルリング43を備える。ハンドル固定構造４１の上部には、スリーブ４２と固定接続される。スリーブ４２の内部空洞には、ハンドルリング４３と移動可能に接続される。ハンドル固定構造４１の表面の底部には、貫通孔６が設けられる。貫通穴6は、ベッドフレーム機構1の底部にボルトで固定接続されている。補助支持構造3を設計することにより、ベッドフレームの両側に補助支持構造3が配置され、ベッドフレーム機構1が開かれると、補助支持フレーム32が立ち上げることにより、ベッドフレーム機構1のもう一つの支持体となるため、全体的に支持効果を強くなり、構造も強化された。よって、ベッドフレームは、より高く作られても、安全の問題も存在しない。ハンドル４の設計により、折りたたみベッドを簡単に取り上げられるようになる。そして、ハンドル４により、簡単に移動でき、便利に使える効果を果たした。従来の折りたたみ式ベッドが使用不便の課題を解決できた。
【００１１】
使用の際に、補助支持フレーム３２は、ロック部材３１を軸として９０度回転し、補助支持フレーム３２は地面に接触させ、ベッドフレーム機構１を支持できるようになる。全体の支持フレーム強度が向上し、ベッドフレーム機構１の高さを高くすることが実現できる。折り畳む場合、補助支持フレーム３２はロック部材３１を軸として９０度回転し、補助支持フレーム３２の表面における位置決め穴33は、固定片34の表面における固定穴5と重合し、ボルトで固定されるため、補助支持フレーム32の揺れを防ぐことができる。ハンドルリング43を引き上げることにより、折りたたみ式ベッドは、全体的に収納され、使用にはとても便利である。
【００１２】
本考案の記述では、「中心」、「上」、「下」、「前」、「後」、「左」、「右」、「縦」、「水平」、「天」、「底」、「内」、「外」等で示される方位や位置関係は、図面に示す方位や位置関係に基づくことが理解される。なお、本考案及び簡略化説明の都合上、特定の方位構造、操作を指示あるいは暗示するものではなく、特定の方位構造、操作を必須とするため、本考案の制限には理解できない。本考案の記述では、明確な規定と限定とではなく、「装着」、「接続」、「設置」は、広義に理解すべきであり、例えば、固定的に連結、設置してもよいし、取り外し可能接続、設置、あるいは一体に連結、設置してもよい。本分野の一般技術者にとっては、上記用語の本考案での具体的な意味を具体的に理解することができる。
【００１３】
本考案は、実施例を示唆して説明したが、当業者にとっては、本考案の原理や精神を逸脱することなく、これらの実施例に対して種々の変更、修正、置き換え、変更が可能であることが理解される。本考案の保護範囲は、請求項とその均等物によって規定される。
【符号の説明】
【００１４】
1、ベッドフレーム機構
2、マットレス
3、補助支持構造
31、ロック部材
32、補助支持フレーム
33、位置決め穴
34、固定片
4、ハンドル
41、ハンドル固定構造
42、スリーブ
43、ハンドルリング
5、固定穴
6、貫通穴
7、スタンド
8、プーリー
【図１】
0003224813.tif 000003
【図２】
0003224813.tif 000004
【図３】
0003224813.tif 000005
【図４】
0003224813.tif 000006
【手続補正書】
【提出日】令和1年11月19日(2019.11.19)
【手続補正１】
【補正対象書類名】実用新案登録請求の範囲
【補正対象項目名】全文
【補正方法】変更
【補正の内容】
【実用新案登録請求の範囲】
【請求項１】
補助支持フレームと新型ハンドルを有する折りたたみ式ベッドであり、
ベッドフレーム機構（1）およびマットレス（2）を備え、
前記ベッドフレーム機構（1）の上にマットレス（2）が設置され、
前記ベッドフレーム機構（1）の左右両側に各補助支持構造（3）が設けられ、前記補助支持構造は（3）、ロック部材（31）、補助支持フレーム（32）、位置決め穴（33）及び固定片（34）を備え、
前記ロック部材（31）の底部には、補助支持フレーム（32）に移動可能に接続され、
前記補助支持フレーム（32）の表面には、位置決め穴（33）が設けられ、
前記ベッドフレーム機構（１）の底部には、固定片（34）が固定接続されて、
前記ベッドフレーム機構（１）の正面には、ハンドル（4）が設置されている
ことを特徴とする補助支持フレームと新型ハンドルを有する折りたたみ式ベッド。
【請求項２】
前記固定片（34）の表面には、固定穴（５）が設けられ、前記固定穴（５）の直径は前記位置決め穴（33）の直径と等しい
ことを特徴とする請求項１に記載の補助支持フレームと新型ハンドルを有する折りたたみ式ベッド。
【請求項３】
前記ハンドル（4）は、ハンドル固定構造（４１）、スリーブ（４２）およびハンドルリング（４３）を備え、スリーブ（４２）はハンドル固定構造（４１）の上部に固定的に接続され、ハンドルリング（４３）はスリーブ（４２）の内部空洞に移動可能に接続される
ことを特徴とする請求項１に記載の補助支持フレームと新型ハンドルを有する折りたたみ式ベッド。
【請求項４】
ハンドル固定構造（４１）の表面の底部には貫通孔（６）が設けられ、貫通孔（６）はボルトによってベッドフレーム機構（１）の底部に固定的に接続される
ことを特徴とする請求項３に記載の補助支持フレームと新型ハンドルを有する折りたたみ式ベッド。
【請求項５】
前記ベッドフレーム機構（１）の底部にはスタンド（７）が設けられ、スタンド（７）の底部にはプーリー（8）が設けられる
ことを特徴とする請求項１に記載の補助支持フレームと新型ハンドルを有する折りたたみ式ベッド。